(57)【要約】【課題】家電製品の遠隔操作を行うことが可能なＩｒＤＡ通信モジュールを提供する。【解決手段】第一波長の赤外光は第一波長の発光が可能な発光素子を光源とし、第二波長の赤外光は、その発光素子からの第一波長の赤外光を波長変換物質により第二波長の赤外光に変換することにより発生させるようにして、ＩｒＤＡ通信と家電製品のリモコン操作とを可能にする。【選択図】  図４
2005020185.tif 000002
【特許請求の範囲】
【請求項１】
ＩｒＤＡ通信用の第一波長の赤外光と、第一波長より長波長であって家電製品の遠隔操作を行うための第二波長の赤外光との２つの異なる波長の赤外光を１つの発光素子を用いて送信可能に構成したことを特徴とする赤外線通信モジュール。
【請求項２】
第一波長が８５０ｎｍ〜９００ｎｍの範囲にあり、第二波長が９３０ｎｍ〜９８０ｎｍの範囲にあることを特徴とする赤外線通信モジュール。
【請求項３】
第一波長の赤外光は第一波長の発光が可能な発光素子を光源とし、第二波長の赤外光は、前記発光素子からの第一波長の赤外光を波長変換物質により第二波長の赤外光に変換することにより発生させることを特徴とする請求項１に記載の赤外線通信モジュール。
【請求項４】
波長変換物質は、前記発光素子の赤外光路上の位置と赤外光路から外れた位置との間を移動可能に取り付けられることを特徴とする請求項３に記載の赤外線通信モジュール。
【請求項５】
波長変換物質を含む樹脂により発光素子を封止することを特徴とする請求項３に記載の赤外線通信モジュール。
【発明の詳細な説明】
【０００１】
【発明の属する技術分野】
本発明は、ＩｒＤＡ形式の赤外線通信を用いた赤外線通信モジュールに関し、更に詳細には家電製品にＩｒＤＡ形式の通信機器を応用した赤外線通信モジュールに関する。
【０００２】
【従来の技術】
近年、赤外線データ通信の規格化がなされ、ＩｒＤＡ規格が赤外線データ通信システムの標準規格として世界的に認められている。
このＩｒＤＡ規格は、携帯型パソコン、ＰＤＡ、携帯電話などでの通信モジュールに利用されている。
【０００３】
一方、家電製品では、遠隔操作ができるように発光素子による赤外線を利用したリモコン装置が普及している（たとえば特許文献１参照）。
たとえば、テレビ用のリモコンではテレビに取り付けた受信器に向けて赤外光を発光させることにより、テレビ電源を操作したりチャンネルを切り替えたりすることができるようになっている。
【特許文献１】
特開平１１−３０８１７２号公報
【０００４】
【発明が解決しようとする課題】
ＩｒＤＡ通信と家電製品用のリモコン通信とは、ともに無線通信という点で共通しているものの通信に使用する波長範囲が異なっている。一般にＩｒＤＡ通信では波長範囲が８５０ｎｍ〜９００ｎｍ程度の赤外光が利用され、家電製品のリモコンには波長範囲が９３０ｎｍ〜９８０ｎｍ程度の赤外光が利用されている。この波長範囲の相違のため、従来、ＩｒＤＡ通信モジュール製品を用いて家電製品の遠隔操作をするというようなことは困難であったし、そのような使用が考えられることもなかった。
そこで本発明は、家電製品の操作が可能なＩｒＤＡ通信モジュールを提供することを目的とする。
【０００５】
【課題を解決するための手段】
上記課題を解決するためになされた本発明の赤外線通信モジュールは、ＩｒＤＡ通信用の第一波長の赤外光と、第一波長より長波長であって家電製品の遠隔操作を行うための第二波長の赤外光との２つの異なる波長の赤外光を１つの発光素子を用いて送信可能に構成する。
この赤外線通信モジュールによれば、ＩｒＤＡ規格による通信を行うときはＩｒＤＡ規格に用いる第一波長の赤外光を発生する。また、家電製品の遠隔操作を行うときは、第一波長より長波長の第二波長の赤外光を発生する。これにより、ＩｒＤＡ通信モジュールにより、家電製品の遠隔操作を可能にする。
ここで、第一波長が８５０ｎｍ〜９００ｎｍの範囲にあり、第二波長が９３０ｎｍ〜９８０ｎｍの範囲にあるようにするのが望ましい。
【０００６】
また、第一波長の赤外光は第一波長の発光が可能な発光素子を光源とし、第二波長の赤外光は、前記発光素子からの第一波長の赤外光を波長変換物質により第二波長の赤外光に変換することにより発生させるようにしてもよい。
これによれば、ＩｒＤＡ通信のための第一波長と、家電製品の遠隔操作用の第二波長とを１つの発光素子で発生させることができるので、使用素子数を減らすことができ、配線も簡素化することができ、さらにはモジュール全体をコンパクトにすることができる。
【０００７】
波長変換物質は、発光素子の赤外光路上の位置と赤外光路から外れた位置との間を移動可能に取り付けてもよい。
これによれば、第一波長を送信するときは波長変換物質を光路から外すように移動することにより、第一波長を減衰させることなく送信することができ、第二波長を送信するときは波長変換物質を光路上に移動することにより、この第二波長での送信を行うことができる。
【０００８】
また、波長変換物質を含む樹脂により発光素子の周囲を封止するようにしてもよい。これにより第一波長と第二波長とを同時に発生するようにすることができる。第一波長は多少減衰することになるが、駆動機構がないので簡単な構造でのモジュールを構成することができる。
【０００９】
【発明の実施の形態】
以下、本発明の実施形態について図面を用いて説明する。
まず最初に、波長変換物質について説明する。光の波長を長波長側にシフトさせる特性をもつ物体があり、このような物質に図１で示すような短波長光（Ａ）を入射させると、射出される光の波長が図２に示すように短波長光（Ａ）とともに長波長光（Ｂ）が発生するようになる。
ＩｒＤＡ通信に使用される光の波長は、家電製品のリモコンに使用される光の波長に比べて、短波長側である。そこで、光を長波長側に変換する特性をもつ波長変換物質を用いることにより、ＩｒＤＡ通信モジュールの発光光を長波長側にシフトさせ、家電製品のリモコン通信も利用できるようにする。
【００１０】
図３は本発明の一実施形態であるＩｒＤＡ通信モジュールの送信部を説明する概略図である。図において送信部１には赤外線発光ＬＥＤのような発光素子が内蔵されている。この発光素子はＩｒＤＡ通信に必要な第一波長の光を発生する。第一波長としては８５０ｎｍ〜９００ｎｍの赤外光を用いるが、ここではたとえば８８０ｎｍの赤外光を用いている。
【００１１】
送信部１の一面には、光の射出窓が設けられており、この窓面には光を長波長側に変換する特性をもつ波長変換物質２が着脱可能にしてある。
波長変換物質２としては、図４の模式図の通り、低波長（高エネルギー）から高波長（低エネルギー）への蛍光が可能であり、このような変換物質を用いることにより実現可能である。この波長変換物質２を取り付けることにより、８８０ｎｍの赤外光を９５０ｎｍの赤外光にシフトした上で出射することになる。
したがって、波長変換物質２によりシフトさせた後の波長を家電製品のリモコンとして用いることができる。
【００１２】
図５、図６は本発明の他の実施形態であるＩｒＤＡ通信モジュールおよびこれを搭載したＩｒＤＡ通信機器を説明する図である。
このＩｒＤＡ通信機器は、ＩｒＤＡ通信モジュールの送信部３、ＩｒＤＡ通信機器の筐体４、波長変換物質５からなる。図５に示すように筐体４内に送信部３が内蔵される。筐体４の一部には赤外光を射出するための窓が形成され、その窓位置に波長変換物質５が配置される。この状態で送信部３から赤外光を発生させると第一波長（図１のスペクトルでの発光）が射出されることになる。
波長変換物質５は、筐体４の窓位置に対してスライドさせることができるように取り付けてあり、図６に示すように波長変換物質５は窓から外れた位置に退避できるようになっている。この状態で送信部３から赤外光を発生させると第一波長と第二波長（図２のスペクトルでの発光）とが射出されることになる。
【００１３】
なお、図５、６ではＩｒＤＡ通信機器を簡略化して説明しているが、たとえばＩｒＤＡ通信機器が携帯電話であれば、テンキーや受話器部分が設けられており、ＰＤＡであれば、表示画面やキーボードが設けられていることは言うまでもない。
【００１４】
また、図７は本発明のさらに他の実形態であるＩｒＤＡ通信モジュールの送信部の断面図である。このＩｒＤＡ通信モジュールの送信部９は、波長変換物質で形成される樹脂で封止されたＬＥＤ７（第一波長を発光する素子）、リードフレーム８からなる。
【００１５】
すなわち、封止樹脂に赤外光の波長を長波長側に変換する特性をもつ樹脂を用いることにより、ＩｒＤＡ通信モジュールの送信部に、波長変換物質を取り付ける必要がなくなる。
【００１６】
【発明の効果】
以上説明したように、本発明によればＩｒＤＡ通信モジュールで家電製品の遠隔操作を行うことが可能になる。
また、波長変換物質を用いることにより、ＩｒＤＡ通信と家電製品のリモコン操作とを行うことができるコンパクトな形状のモジュールを作成することができる。
【図面の簡単な説明】
【図１】発光素子による赤外光のスペクトルを説明する図。
【図２】波長変換物質による波長変換後のスペクトルを説明する図。
【図３】本発明の一実施形態である通信モジュールの構成を説明する図。
【図４】本発明の原理を示す説明図。
【図５】本発明の他の実施形態である通信モジュールの構成を説明する図。
【図６】本発明の他の実施形態である通信モジュールの構成を説明する図。
【図７】本発明のさらに他の実施形態である通信モジュールの構成を説明する図。
【符号の説明】
１：送信部
２：波長変換物質
３：送信部
４：ＩｒＤＡ通信機器の筐体
５：波長変換物質
７：発光素子（波長変換物質を含む樹脂で封止）
８：リードフレーム
９：送信部
【図１】
2005020185.tif 000003
【図２】
2005020185.tif 000004
【図３】
2005020185.tif 000005
【図４】
2005020185.tif 000006
【図５】
2005020185.tif 000007
【図６】
2005020185.tif 000008
【図７】
2005020185.tif 000009